(57)【要約】【課題】操作部や表示部の設置位置の自由度を高めることができる便器装置を提供する。【解決手段】便器装置１００は、便器１と、便器１の上に設置されるとともに、便座２の開口部２ａを開閉可能としつつ着脱可能に設けられた便蓋３と、便座２に対して便蓋３を開閉する開閉機構が収容された開閉部５と、便蓋３の表面３２ａ及び開閉部５の表面の少なくともいずれか一方に設けられた第一操作表示部と、を備え、第一操作表示部は、所望の設定を変更可能な操作部及び該操作部による前記設定を表示する第一表示部６の少なくともいずれか一方を有していることを特徴とする。【選択図】図１
2019188025.tif 000002
【特許請求の範囲】
【請求項１】
便器と、
該便器の上に設置されるとともに、便座の開口部を開閉可能としつつ着脱可能に設けられた便蓋と、
前記便座に対して該便蓋を開閉する開閉機構が収容された開閉部と、
前記便蓋の表面及び前記開閉部の表面の少なくともいずれか一方に設けられた第一操作表示部と、を備え、
該第一操作表示部は、所望の設定を変更可能な操作部及び該操作部による前記設定を表示する第一表示部の少なくともいずれか一方を有していることを特徴とする便器装置。
【請求項２】
前記第一操作表示部は、前記便蓋における前記便器と対向する側に設けられている請求項１に記載の便器装置。
【請求項３】
前記第一表示部には、ワイヤレス給電装置を介して給電される請求項１または２に記載の便器装置。
【請求項４】
前記便蓋が取り外された状態で、前記開閉機構に装着される開閉カバーと、
該開閉カバーの表面に設けられ、前記操作部による前記設定を表示する第二表示部と、を備えている請求項１から３のいずれか一項に記載の便器装置。
【発明の詳細な説明】
【技術分野】
【０００１】
本発明は、便器装置に関するものである。
【背景技術】
【０００２】
従来から、便器装置には、局部洗浄装置等が設けられた機能部に対して各種指示を出す操作部や、機能部の動作状態や設定状態を表示する表示部が設けられている。例えば、下記の特許文献１に記載の便器装置では、操作部が機能部の収容される本体カバーの側面に沿って設けられ、表示部が本体カバーの前面に沿って設けられている。
【先行技術文献】
【特許文献】
【０００３】
【特許文献１】特開２０００−１９７５８８号公報
【発明の概要】
【発明が解決しようとする課題】
【０００４】
しかしながら、上記の特許文献１に記載された便器装置では、操作部や表示部の設置位置が本体カバーに沿う箇所と限定されているため、操作部や表示部の設置位置の自由度を高めることが望まれている。
【０００５】
そこで、本発明は、上記事情に鑑みてなされたものであり、操作部や表示部の設置位置の自由度を高めることができる便器装置を提供する。
【課題を解決するための手段】
【０００６】
上記目的を達成するために、本発明は以下の手段を採用している。
すなわち、本発明に係る便器装置は、便器と、該便器の上に設置されるとともに、便座の開口部を開閉可能としつつ着脱可能に設けられた便蓋と、前記便座に対して該便蓋を開閉する開閉機構が収容された開閉部と、前記便蓋の表面及び前記開閉部の表面の少なくともいずれか一方に設けられた第一操作表示部と、を備え、該第一操作表示部は、所望の設定を変更可能な操作部及び該操作部による前記設定を表示する第一表示部の少なくともいずれか一方を有していることを特徴とする。
【０００７】
このように構成された便器装置では、所望の設定を変更可能な操作部及び操作部による設定を表示する第一表示部の少なくともいずれか一方は、便蓋の表面及び便蓋を開閉可能に支持する開閉機構が収容された開閉部の表面の少なくともいずれか一方に設けられているため、操作部や第一表示部の設置位置の自由度を高めることができる。
【０００８】
また、本発明に係る便器装置は、前記第一操作表示部は、前記便蓋における前記便器と対向する側に設けられていることが好ましい。
【０００９】
このように構成された便器装置では、第一操作表示部は便蓋における便器と対向する側に設けられているため、便蓋が閉じた不使用状態では第一操作表示部は外から見えず、便器装置の外観を向上させることができる。
【００１０】
また、本発明に係る便器装置は、前記第一表示部には、ワイヤレス給電装置を介して給電されていてもよい。
【００１１】
このように構成された便器装置では、第一表示部はワイヤレス給電装置を介して本体部等から給電されるため、第一表示部と本端部等とを接続する配線が不要となる。
【００１２】
また、本発明に係る便器装置は、前記便蓋が取り外された状態で、前記開閉機構に装着される開閉カバーと、該開閉カバーの表面に設けられ、前記操作部による前記設定を表示する第二表示部と、を備えていてもよい。
【００１３】
このように構成された便器装置では、便蓋が取り外された状態で、開閉機構に装着される開閉カバーの表面には、操作部による設定を表示する第二表示部が設けられている。よって、利用者は、便蓋が取り外された状態でも、第二表示部を見て設定内容を知ることができる。
【発明の効果】
【００１４】
本発明に係る便器装置によれば、操作部や表示部の設置位置の自由度を高めることができる。
【図面の簡単な説明】
【００１５】
【図１】本発明の第一実施形態に係る便器装置の斜視図である。
【図２】本発明の第一実施形態に係る便器装置の要部の拡大斜視図である。
【図３】本発明の第二実施形態に係る便器装置の一部の斜視図である。
【図４】本発明の第二実施形態に係る便器装置の要部の拡大斜視図である。
【図５】本発明の第三実施形態に係る便器装置の斜視図である。
【発明を実施するための形態】
【００１６】
（第一実施形態）
本発明の第一実施形態に係る便器装置について、図面を用いて説明する。
図１は、本発明の第一実施形態に係る便器装置の斜視図である。
図１に示すように、便器装置１００は、下方に凹む開口部１ａが設けられた便器１と、回動可能に設けられた便座２及び便蓋３と、便器１の上部に設けられた本体部（不図示。以下同じ。）と、本体部を収容する本体カバー４と、便蓋３を開閉可能に支持する開閉機構（不図示。以下同じ。）が収容された開閉部５と、を備えている。本体部は、局部洗浄装置（不図示。以下同じ。）等の装置を有している。
なお、下記の説明において、利用者が便座２に着座した状態で前方を向く方向を「前方」とし、反対側を「後方」とし、これらを結ぶ方向を前後方向とする。また、便座２に着座した利用者から見て左側を「左側」とし、右側を「右側」とし、これらを結ぶ方向を左右方向とする。
【００１７】
便座２は、便器１の上部に設置されている。便座２には、上下方向に貫通する開口部２ａが設けられている。
【００１８】
便蓋３は、開閉機構により回動可能に設けられている。便蓋３は、図１に示すように起立して開いた使用状態から、上端部を前方に向けるように倒伏して閉じた不使用状態まで回動可能とされている。
【００１９】
図２は、便蓋３の拡大斜視図である。なお、図２において、便蓋３の後述する内板部３２を二点鎖線で示している。
図１及び図２に示すように、便蓋３は、便蓋本体３１と、内板部３２と、断熱材３３と、を有している。
【００２０】
便蓋本体３１は、便蓋３が閉じた状態（不使用状態）で、上面を形成する外板部３１ａと、外板部３１ａの外縁から下方に延びる側板部３１ｂと、を有している。
【００２１】
内板部３２は、便蓋本体３１の外板部３１ａと空間Ｓ１を有して配置されている。便蓋３が閉じた状態で、内板部３２は外板部３１ａの下方に配置されている。
【００２２】
図２に示すように、断熱材３３は、外板部３１ａと内板部３２との間の空間Ｓ１に配置されている。本実施形態では、断熱材３３は、複数の分割された部材が隣り合って配置されて構成されている。
【００２３】
図１に示すように、便蓋３の内板部３２における便蓋３が閉じた状態で便座２と対向する面（表面）３２ａには、表示部（第一操作表示部、第一表示部）６が設けられている。表示部６は、便蓋３の面３２ａにおいて、便蓋３が開いた状態での下部（本体部に近い側）に設けられている。
【００２４】
図１及び図２に示すように、表示部６は、便蓋３の空間Ｓ１に設けられた表示基板６１と、表示基板６１に設けられた複数のＬＥＤ等の発光デバイス６２と、を有している。発光デバイス６２は、表示基板６１からの信号に基づいて、点灯、点滅及び消灯等が可能とされている。発光デバイス６２は、便蓋３の内板部３２に設けられた貫通孔に配置され、内板部３２の面３２ａ側に露出するように配置されている。表示部として、液晶ディスプレイ等も採用することができる。なお、便蓋３が閉じた状態では、表示部６は、消灯している。
【００２５】
操作部（不図示。以下同じ。）が、本体部に電気的に接続されて設けられている。操作部は、所望の設定を変更可能である。例えば、操作部は、電源、節電モード、除菌モード等のオン・オフの設定を変更可能とされている。表示部６は、操作部の操作結果の情報（設定）を表示する。例えば、複数の発光デバイス６２のうち、所定の発光デバイス６２が電源の設定、節電モードの設定、除菌モードの設定等と対応付けられていて、対応付けられた発光デバイス６２は設定がオンの場合に点灯し、オフの場合に消灯するように構成されていてもよい。なお、表示部６の構成や表示情報は適宜設定可能である。
【００２６】
図１に示すように、開閉部５は、便蓋３の左右両側の下部に設けられている。各開閉部５は、便蓋３に設けられた左右一対のヒンジ部５１を有している。本体部の左右方向の両端部からそれぞれ側方に延びる開閉機構としての回動軸（不図示。以下同じ。）が設けられ、回動軸がヒンジ部５１の内部に回動可能に支持されている。あるいは、ヒンジ部５１の内部には左右方向を向く回動軸（不図示。以下同じ。）が設けられ、回動軸が本体部に回動可能に支持されている構成であってもよい。
なお、開閉機構は、モータ（不図示。以下同じ。）やアシスト装置（不図示。以下同じ。）等を有していてもよい。モータは、アシスト装置の駆動源・動力源として機能する。モータには、リード線を介して駆動信号が供給される。モータは、ＤＣモータ、ＤＣブラシレスモータ、ステッピングモータ等、特に制限されない。アシスト装置は、モータの駆動により、便蓋３を自動で開閉させるものであり、周知の構成である。
【００２７】
ヒンジ部５１は、本体部に対して着脱可能に設けられている。例えば、ヒンジ部５１に、不図示の脱着操作部が設けられ、脱着操作部を操作すると、ヒンジ部５１から回動軸が取り外されて、便蓋３が本体部から外れるように構成されていてもよい。
【００２８】
ヒンジ部５１は、ワイヤレス給電装置（不図示）により、本体部から信号及び電力の受信が可能とされている。ワイヤレス給電装置は、本体部に設けられた不図示の送信部と、ヒンジ部に設けられた不図示の受信部と、を有している。送信部は、信号及び電力を受信部に送信する。本体部に送信された操作部の操作情報は、送信部からヒンジ部５１の受信部に操作信号として送信される。ヒンジ部５１と電気的に接続された表示部６は、ヒンジ部５１に送信された操作信号に基づいて、操作部の操作結果の情報を表示するように構成されている。
【００２９】
このように構成されたた便器装置１００では、操作部による操作結果の情報を表示する表示部６は、便蓋３の面３２ａに設けられているため、表示部６の設置位置の自由度を高めることができる。
【００３０】
また、表示部６は便蓋３における便器１と対向する面３２ａに設けられているため、便蓋３が閉じた不使用状態では表示部６は外から見えないため、便器装置１００の外観を向上させることができる。
【００３１】
また、ヒンジ部５１はワイヤレス給電方式で本体部と接続されているため、配線が不要となり、便器装置１００の組み立て、設置を容易に行うことができる。
【００３２】
また、ヒンジ部５１及び表示部６は本体部に近接して設けられているため、ワイヤレス給電の給電効率が良い。
【００３３】
（第二実施形態）
次に、本発明の第二実施形態に係る便器装置について、主に図３及び図４を用いて説明する。
下記に示す実施形態の説明において、前述した部材と同一の部材には同一の符号を付して、その説明を省略する。
図３は、本発明の第二実施形態に係る便器装置の一部の斜視図である。図４は、本発明の第二実施形態に係る便器装置の要部の拡大斜視図である。なお、図３において、便器１及び便座２の図示を省略している。
図３に示すように、表示部６Ｘは、左右方向の一方側のヒンジ部５１Ｘの表面に設けられている。図４に示すように、表示部６Ｘは、ヒンジ部５１Ｘ内に設けられた表示基板６１Ｘと、表示基板６１Ｘに設けられた発光デバイス６２Ｘと、を有している。発光デバイス６２Ｘは、表示基板６１Ｘからの信号に基づいて、点灯、点滅及び消灯等が可能とされている。発光デバイス６２Ｘは、ヒンジ部５１Ｘに設けられた貫通孔に配置され、ヒンジ部５１Ｘの表面内側に露出するように配置されている。なお、便蓋３が閉じた状態では、表示部６Ｘは、消灯している。
【００３４】
図３に示すように、表示部６Ｘは、便蓋３が開いた状態で、上方を向く位置に配置されている。
【００３５】
このように構成されたた便器装置１００Ｘでは、操作部による操作結果の情報を表示する表示部６Ｘは、ヒンジ部５１Ｘの表面に設けられているため、表示部６Ｘの設置位置の自由度を高めることができる。
【００３６】
また、表示部６Ｘはヒンジ部５１Ｘに設けられているため、便蓋３が閉じた不使用状態では表示部６Ｘは外から見えず、便器装置１００Ｘの外観を向上させることができる。
【００３７】
また、便蓋３が開いた使用状態では、表示部６Ｘが上方を向くように設けられているため、利用者にとって視認しやすい。
【００３８】
（第三実施形態）
次に、本発明の第三実施形態に係る便器装置について、主に図５を用いて説明する。
図５は、本発明の第三実施形態に係る便器装置の斜視図である。なお、図５において、便器１の図示を省略している。
図５に示すように、本実施形態では、上記に示す実施形態の便蓋３及び便蓋３に固定された開閉部５が、本体部から取り外されている。この状態では、開閉機構の回動軸を覆うように開閉カバー７が設けられている。
【００３９】
開閉カバー７は、開閉機構の左右両側の回動軸を覆う左右一対のカバー部７１と、カバー部７１どうしを連結する連結部７２と、を有している。開閉カバー７は、本体部等に螺子等により固定されている。
【００４０】
各カバー部７１の表面７１ａには、カバー表示部（第二表示部）６Ｙが設けられている。カバー表示部６Ｙは、カバー部７１の上面に設けられている。
【００４１】
カバー表示部６Ｙは、不図示の表示基板と、表示基板に設けられた複数のＬＥＤ等の発光デバイス６２Ｙと、を有している。発光デバイス６２Ｙは、表示基板からの信号に基づいて、点灯、点滅及び消灯等が可能とされている。発光デバイス６２Ｙは、カバー部７１に設けられた貫通孔に配置され、カバー部７１の表面７１ａ側に露出するように配置されている。
【００４２】
このように構成された便器装置１００Ｙでは、便蓋３が取り外された状態で、開閉カバー７の表面７１ａには、操作部による設定を表示するカバー表示部６Ｙが設けられている。よって、利用者は、便蓋３が取り外された状態でも、カバー表示部６Ｙを見て設定内容を知ることができる。
【００４３】
なお、本発明に係る便器装置は、上述した実施形態に限定されるものではなく、本発明の要旨を逸脱しない範囲で適宜の変更や置換等が可能である。
【００４４】
例えば、上記に示す実施形態では、便蓋３の面３２ａに表示部６が設けられているが、本発明はこれに限られず、便蓋３の面３２ａに所望の設定を変更可能な操作部が設けられていてもよい。操作部として、例えばユーザの操作を検出するタッチパネル等を採用することができる。
【００４５】
また、上記に示す実施形態では、表示部６は、便蓋３の面３２ａに設けられているが、本発明はこれに限られない。表示部６は、便蓋３の外板部３１ａにおける便蓋３が閉じた状態で上方を向く面や、便蓋３の側板部３１ｂの両側のいずれかの面等に設けられていてもよい。また、表示部６が便蓋３の外板部３１ａにおける便蓋３が閉じた状態で上方を向く面の全体に設けられている場合には、便蓋３の当該面が全体的に統一感のある意匠となり、デザイン性を高めることができる。
【００４６】
また、上記に示す実施形態では、表示部６は便蓋３が開いた状態での便蓋３の下部に設けられているが、本発明はこれに限られず、設置位置は適宜設定可能である。また、表示部６の大きさを便蓋３の面３２ａに対応して大きくすることができ、表示部６を大きくすることで視認性を向上させることができる。
【００４７】
また、便器装置１００が設置されるトイレ空間に人が入ってきたことを検出する人感センサ（不図示。以下同じ。）と、トイレ空間に人が入ってきたことを人感センサにより検出した場合に、便蓋３を開ける自動開閉部（不図示。以下同じ。）と、を備え、便蓋３の面３２ａに表示部６が設けられていてもよい。この場合には、人感センサがトイレ空間に人が入ってきたことを検出すると、開閉部が便蓋３を開ける。便蓋３の面３２ａに設けられた表示部６には、操作部からの前回の操作結果等が表示される。よって、利用者は、開いた便蓋３を見て、操作結果の情報を入手することができる。
【符号の説明】
【００４８】
１…便器
２…便座
３…便蓋
４…本体カバー
５…開閉部
６…表示部（第一操作表示部、第一表示部）
６Ｙ…カバー表示部（第二表示部）
７…開閉カバー
５１…ヒンジ部
６１…表示基板
６２…発光デバイス
１００…便器装置
【図１】
2019188025.tif 000003
【図２】
2019188025.tif 000004
【図３】
2019188025.tif 000005
【図４】
2019188025.tif 000006
【図５】
2019188025.tif 000007